(57)【要約】【課題】ネットワークを通じてリアルタイムに視聴率を提供する方法では、視聴情報を特定のサーバーに送信した上で、情報提供装置がデータの加工を行うために、視聴者の友人等、実生活で所属しているコミュニティにおいて視聴されている番組を取得しているとは限らない。【解決手段】テレビジョン放送受信機能付移動体通信端末が備えるメモリダイヤルリストに、視聴者が実生活で所属するコミュニティによって「家族」、「会社」などのグループや、電話番号、電子メールアドレス、携帯のＩＰアドレスなどのメンバーの情報を登録する。テレビジョン放送受信機能付移動体通信端末は番組を視聴した場合、視聴中の番組情報をメモリダイヤルリストに登録された別のテレビジョン放送受信機能付移動体通信端末に送信するとともに、受信した番組情報を集計する。【選択図】図９
2006041587.tif 000002
【特許請求の範囲】
【請求項１】
メモリダイヤルリストに、メンバーの名前、電話番号、メールアドレスとともに、テレビジョン放送受信機能付移動体通信端末のＩＰアドレス登録し、登録したメンバーのテレビジョン放送受信機能付移動体通信端末に対して、視聴中の番組情報をネットワーク経由で送信する機能を具備することを特徴とするテレビジョン放送受信機能付移動体通信端末。
【請求項２】
メンバーのテレビジョン放送受信機能付移動体通信端末から送信された視聴中の番組情報を受信したテレビジョン放送受信機能付移動体通信端末は、送信元ＩＰアドレスをキーにメモリダイヤルリストからメンバーを検索し、番組毎のメンバーの視聴数や視聴率を集計する機能を具備することと
電子番組表や視聴中のテレビ画面上に視聴数、視聴率、視聴者の名前を示すアイコンを表示する機能を具備することを特徴とするテレビジョン放送受信機能付移動体通信端末。
【請求項３】
前記の視聴者の名前を示すアイコンをクリックすると、視聴者に対する電子メールや通話機能を起動する機能を具備することを特徴とするテレビジョン放送受信機能付移動体通信端末。
【発明の詳細な説明】
【技術分野】
【０００１】
本発明は、テレビジョン放送受信機能付移動体通信端末及びその方法に関し、更に詳しくは、テレビジョン放送受信機能付移動体通信端末のメモリダイヤルリストに登録されているメンバーにおける視聴数や視聴率を、電子番組表に表示することが可能なテレビジョン放送受信機能付移動体通信端末及びその方法に関する。
【背景技術】
【０００２】
従来のテレビジョン放送受信装置として、放送事業者が電子番組表データと共に批評家の視聴率情報を送信し、視聴者の嗜好に合わせて電子番組表を作成するテレビジョン放送受信装置が公知である（例えば、特許文献１参照）。
【０００３】
また、番組の視聴数や視聴率をリアルタイムに視聴者のテレビ画面に表示できる情報提供方法、情報提供装置が公知である。これは、情報提供装置に年齢、性別、端末のＩＰアドレスなどテレビジョン放送受信装置とユーザの情報を登録すると、テレビジョン放送受信装置は、情報提供装置に視聴中の番組情報を送信し、情報提供装置側でデータの収集を行う。情報提供装置は収集したデータを元に、視聴数や視聴率などを算出した上、電子番組表に視聴数や視聴率をリアルタイムに付加した情報を登録されたＩＰアドレスのテレビジョン放送受信装置に対して送信するものである（例えば、特許文献２参照）。
【特許文献１】特表２００３−５１０９８１号公報
【特許文献２】特開２００３−２８４００８号公報
【発明の開示】
【発明が解決しようとする課題】
【０００４】
しかしながら、上記特許文献１のテレビジョン放送受信装置では、視聴者の嗜好に近い番組を選択する際に、放送事業者側が選定した批評家の視聴率を利用するため、実際に視聴者が所属するコミュニティ（例えば同級生、同僚、同じ趣味の仲間）で、実際に多く視聴されている番組であるとは限らないという課題を有していた。
【０００５】
また、上記特許文献２においても、ネットワーク経由でユーザと面識のない不特定の集団の視聴数を収集するため、集計した視聴数や視聴率が、ユーザが実生活で所属しているコミュニティで多く視聴されている番組とは限らないという課題を有していた。
【０００６】
本発明は、前記従来の課題を解決するためにテレビジョン放送受信機能付移動体通信端末が具備するメモリダイヤルリストを利用するものである。
【０００７】
メモリダイヤルリストは、ユーザが電話番号を入力する手間を省くためのショートカット機能として使用されるものである。また、メモリダイヤルリストに登録されているメンバーは、ユーザが実生活で所属するコミュニティによって「家族」、「会社」、「友人」などのグループで分類されている。
【０００８】
本発明は、番組を視聴した場合に、メモリダイヤルリストに登録されているメンバーのテレビジョン放送受信機能付移動体通信端末に対して、視聴中の番組情報を送信する。また番組情報を受信したテレビジョン放送受信機能付移動体通信端末は、送信元のＩＰアドレスをキーにメモリダイヤルリストからメンバーを検索し、番組毎の視聴数や視聴率を集計する。集計した結果を、電子番組表上や視聴中のテレビ画面上にリアルタイムに表示する方法によって、ユーザの番組選局の労力を軽減できるテレビジョン放送受信機能付移動体通信端末を提供することを目的とする。
【課題を解決するための手段】
【０００９】
従来の課題を解決するために、本発明の請求項１に係るテレビジョン放送受信機能付移動体通信端末は、メモリダイヤルリストにメンバーの名前、メールアドレス、電話番号とＩＰアドレスを記憶する。ユーザが番組を視聴している場合は、メモリダイヤルリストに登録されているメンバーのテレビジョン放送受信機能付移動体通信端末のＩＰアドレスに対して、視聴中の番組情報を送信する機能を有する。
【００１０】
本発明の請求項２に係るテレビジョン放送受信機能付移動体通信端末は、受信した番組情報の送信元ＩＰアドレスを持つメンバーが、メモリダイヤルリストに存在した場合に、視聴数を追加する。視聴数の集計結果を元に、電子番組表や視聴中のテレビ画面上に、視聴数、視聴率、また視聴しているメンバーを示すアイコン表示を行う機能を有する。
【００１１】
また、本発明の請求項３に係るテレビジョン放送受信機能付移動体通信端末は、電子番組表や視聴中のテレビ画面上に表示された前記の視聴者を示すアイコンをクリックすると、視聴者に対して、電子メールや通話機能を起動する機能を有する。
【発明の効果】
【００１２】
本発明のテレビジョン放送受信機能付移動体通信端末によれば、メモリダイヤルリストに登録されているメンバーにおける番組毎の視聴数や視聴率を、電子番組表に表示することが可能になる。それにより、メモリダイヤルリストに登録されているメンバーが多く視聴されている番組を特定し、視聴すべき番組を選択するための情報を提供することが可能となる。
【発明を実施するための最良の形態】
【００１３】
（実施の形態１）
図１は、本発明のテレビジョン放送受信機能付移動体通信端末のネットワーク構成図である。テレビジョン放送受信機能付移動体通信端末Ａ１０１と、テレビジョン放送受信機能付移動体通信端末Ｂ１０２とは、インターネットや赤外線通信などにて通信が可能であり、メンバー間で通話、電子メール、メモリダイヤルリストへのメンバー登録などを行うことができる。
【００１４】
図２は、本発明の実施の形態に係るテレビジョン放送受信装置２００の構成を示すブロック図である。テレビジョン放送受信機能付移動体通信端末２００は、チューナ２０１と、分離部２０２と、制御部２０３と、デコード部２０４と、映像処理部２０５と、ＯＳＤ制御部２０６と、合成部２０７と、表示部２０８と、操作部２０９と、通信制御部２１０と、電子番組表記憶部２１１とメモリダイヤルリスト記憶部２１２から構成される。
【００１５】
チューナ２０１は、制御部２０３からの選局命令に基づいてテレビジョン放送信号を受信し、受信したテレビジョン放送信号に高周波処理及び復調処理を行い、トランスポートストリームとして分離部２０２へ出力する。分離部２０２は、チューナ２０１からのトランスポートストリームをＭＰＥＧデータであるデジタル映像信号及びデジタル音声信号と番組情報等の付加情報に分離し、ＭＰＥＧデータをデコード部２０４へ出力し、付加情報を制御部２０３に出力する。
【００１６】
制御部２０３は、リモコン信号送受信部２０９から所望のチャンネルの選局要求を取得した場合は、チューナ２０１への選局要求を行うと共に、選局されたチャンネルの番組視聴時において、分離部２０２から取得した付加情報のうち、所定操作時に必要な番組情報データをＯＳＤ制御部２０６へ出力する。また、通信制御部２１０が、メンバーの名前、メールアドレス、電話番号、ＩＰアドレスなど、メモリダイヤルに対する入力が、操作部２０９にあった場合は、メモリダイヤルリスト３００にメンバーを追加する処理を行う。なおメモリダイヤルにメンバー情報を入力する方法としては、赤外線通信やメモリーカードによる方法でもよく、操作部からの入力に限定するものではない。図３にメモリダイヤルリストのデータ構造を示す。電話番号３０１、メールアドレス３０２、名前３０３、グループ３０４、ＩＰアドレス３０５などの項目で構成される。
【００１７】
デコード部２０４は、制御部２０３から映像処理要求を取得した場合は、分離部２０２からのＭＰＥＧデータをデコードし映像信号として映像処理部２０５へ出力する。映像処理部２０５は、デコード部２０４からの映像信号輝度、コントラスト等の調整を行い映像データとして合成部２０７へ出力する。ＯＳＤ制御部２０６は、制御部２０３からの番組情報データをＯＳＤ表示データとして合成部２０７へ出力する。合成部２０７は、映像処理部２０５からの映像データとＯＳＤ制御部２０６からのＯＳＤ表示データを合成し、映像信号として表示部２０８へ出力する。
【００１８】
表示部２０８は、制御部２０３から映像処理要求を取得した場合は、合成部２０７からの映像信号を画面表示する。操作部２０９は、テレビジョン放送受信機能付移動体通信端末にて、チャンネル切替や通話にて使用するキー操作を電気信号として変換し、制御部２０３へ出力する。通信制御部２１０は、メモリダイヤルリストにＩＰアドレスが登録されているテレビジョン放送受信機能付移動体通信端末に対して、一定の計測期間に、最も長時間視聴した番組情報を図５で示される番組情報通知メッセージ５００として送信する。この処理については、後ほど図４を用いて詳述する。また、制御部は、通信制御部２１０が番組情報通知メッセージを受信したかを定期的に確認し、受信した場合は番組情報通知メッセージの解析を行う。この処理については、後ほど図６を用いて詳述する。
【００１９】
電子番組表記憶部２１１は、分離部２０２で分離された付加情報を元に制御部２０３で作成された電子番組表テーブル７００を保存する。そして、制御部２０３からの電子番組表の表示要求があった時は、ＯＳＤ制御部２０６は電子番組表９００を表示する。
【００２０】
また前述の通信制御部２１０が、他のテレビジョン放送受信装置から番組情報通知メッセージを受信した場合は、番組視聴状況テーブル８００に番組ＩＤと番組を視聴しているメンバーの情報を追加して、電子番組表記億部２１１に保存する。この番組情報通知メッセージ受信処理については後ほど図６を用いて詳述する。番組視聴状況テーブルから算出した番組の視聴数や視聴率は、ＯＳＤ制御部２０６で、電子番組表に重畳して、表示部２０８へ出力する。
【００２１】
それでは、上述のテレビジョン放送受信機能付移動体通信端末２００を用いた番組情報通知メッセージ送信処理について図４を用いて詳述する。図４は、テレビジョン放送受信機能付移動体通信端末２００での番組情報通知メッセージ送信処理を示すフローチャートである。
【００２２】
テレビジョン放送受信機能付移動体通信端末２００の制御部２０３は映像信号を視聴中であるかを定期的に監視して、番組の映像信号を視聴中であると判断した場合は（Ｓ４０１でＹＥＳ）、制御部２０３にて計測時間のタイマーを開始し（Ｓ４０２）、番組単位の視聴時間を計測する（Ｓ４０３）。タイマーの計測期間に達していない場合は（Ｓ４０４でＮＯ）視聴時間の計測を継続する。計測期間に達した場合は（Ｓ４０４でＹＥＳ）、視聴時間の計測を終了する。その後、メモリダイヤルリスト（３００）を検索し、テレビジョン放送受信機能付移動体通信端末のＩＰアドレスに記述があるメンバーを、視聴中番組情報の送信対象端末であると判断し（Ｓ４０５でＹＥＳ）、計測期間で視聴時間が最も長かった番組情報が記述された番組情報通知メッセージ５００を送信する。計測期間は例えば５分単位などに設定する。
【００２３】
ここで、番組情報通知メッセージ５００は図５に図示されるように、送信先ＩＰアドレス５０１、送信元ＩＰアドレス５０２、計測開始時刻５０３、計測終了時刻５０４、視聴時間の最も長い番組ＩＤ５０５の項目で構成される。
【００２４】
次に、前述のテレビジョン放送受信機能付移動体通信端末２００を用いた番組情報通知メッセージ受信処理について図６を用いて詳述する。図６は、テレビジョン放送受信機能付移動体通信端末２００での視聴中番組情報受信処理を示すフローチャートである。
【００２５】
テレビジョン放送受信機能付移動体通信端末２００の制御部２０３は、通信処理部に番組情報通知メッセージを受信しているかを定期的に監視して、受信したと判断した場合は（Ｓ６０１でＹＥＳ）、制御部２０３は番組情報通知メッセージ５００を構文解析し、送信先ＩＰアドレス５０１、送信元ＩＰアドレス５０２、計測開始時刻５０３、計測終了時刻５０４、視聴時間の最も長い番組ＩＤ５０５の項目に分解する（Ｓ６０２）。メモリダイヤルリスト３００に送信元ＩＰアドレスが一致するデータが存在しない場合（Ｓ６０３でＮＯ）は、処理を終了する。
【００２６】
メモリダイヤルリストに送信元ＩＰアドレスが存在する場合（Ｓ６０３でＹＥＳ）は、処理を継続する。番組情報通知メッセージに記述されている番組ＩＤ５０５が、電子番組表テーブル７００の中から現時刻で放送中の番組ＩＤ以外の場合（Ｓ６０４でＮＯ）は、処理を終了する。ここで、図７に電子番組表テーブル７００のデータ構造を図示する。チャンネル７０１、番組名７０２、番組ＩＤ７０３、開始時刻７０４、終了時刻７０５などの項目で構成される。
【００２７】
現時刻に放送中である番組の場合（Ｓ６０４でＹＥＳ）は図８に示す番組視聴状況テーブル８００に、番組ＩＤ８０１とその番組を視聴しているメンバーの電話番号８０２、名前８０３、グループ８０４、ＩＰアドレス８０５を１行分追加する。
【００２８】
操作部２０９から、電子番組表の表示要求があった場合には、図９に示すようなグループ毎の視聴数が付加された電子番組表９００を表示する。電子番組表には視聴数だけでなく、視聴率や視聴中のメンバーを示すアイコンなどを付加して表示しても良い。電子番組表９００は電子番組表テーブル７００のチャンネル７０１と番組名７０２を横軸に、またメモリダイヤルリストのグループ３０３を縦軸に配置して、二次元の表を作成する。番組視聴状況テーブル８００にて、番組とグループ毎に視聴しているメンバーの数に集計し、対応する位置に記述する。これによりユーザは、「家族」、「会社」、「友達」などのグループ毎に番組を視聴しているメンバーの数を知ることができる。
【００２９】
また、図１０に、テレビ画面上に、番組を視聴しているメンバーをアイコンでＯＳＤ表示する図を示す。このアイコン（１０００）をクリックする操作などによって、メモリダイヤルリストから電話番号３０１やメールアドレス３０２を検索し、メンバーに対する電子メール送信機能や通話機能を起動する。
【産業上の利用可能性】
【００３０】
インターネット接続が可能なテレビジョン放送受信機能付移動体通信端末において、メモリダイヤルリストに登録しているメンバーの番組毎の視聴数や視聴率を表示する方法としての利用方法が考えられる。
【図面の簡単な説明】
【００３１】
【図１】テレビジョン放送受信機能付移動体通信端末のネットワーク構成図
【図２】テレビジョン放送受信機能付移動体通信端末の構成を示すブロック図
【図３】メモリダイヤルリストのデータ構造を示す図
【図４】番組情報通知メッセージ送信処理を示すフローチャート
【図５】番組情報通知メッセージのデータ構造を示す図
【図６】番組情報通知メッセージ受信処理を示すフローチャート
【図７】電子番組表テーブルのデータ構造を示す図
【図８】番組視聴状況テーブルのデータ構成を示す図
【図９】電子番組表を示す図
【図１０】番組を視聴しているメンバーのアイコン表示を示す図
【符号の説明】
【００３２】
１０１    テレビジョン放送受信機能付移動体通信端末Ａ
１０２    テレビジョン放送受信機能付移動体通信端末Ｂ
２００    テレビジョン放送受信機能付移動体通信端末
２０１    チューナ
２０２    分離部
２０３    制御部
２０４    デコード部
２０５    映像処理部
２０６    ＯＳＤ制御部
２０７    合成部
２０８    表示部
２０９    操作部
２１０    通信制御部
２１１    電子番組表記億部
２１２    メモリダイヤルリスト記憶部
３００    メモリダイヤルリスト
３０１    電話番号
３０２    メールアドレス
３０３    名前
３０４    グループ
３０５    ＩＰアドレス
５００    番組情報通知メッセージ
５０１    送信先ＩＰアドレス
５０２    送信元ＩＰアドレス
５０３    計測開始時刻
５０４    計測終了時刻
５０５    視聴時間の最も長い番組ＩＤ
７００    電子番組表テーブル
７０１、９０２    チャンネル
７０２、９０３    番組名
７０３    番組ＩＤ
７０４    開始時刻
７０５    終了時刻
８００    番組視聴状況テーブル
８０１    番組ＩＤ
８０２    電話番号
８０３    名前
８０４、９０１    グループ
８０５    ＩＰアドレス
９００    電子番組表
１０００    メンバーを示すアイコン
【図１】
2006041587.tif 000003
【図２】
2006041587.tif 000004
【図３】
2006041587.tif 000005
【図４】
2006041587.tif 000006
【図５】
2006041587.tif 000007
【図６】
2006041587.tif 000008
【図７】
2006041587.tif 000009
【図８】
2006041587.tif 000010
【図９】
2006041587.tif 000011
【図１０】
2006041587.tif 000012